(57)【要約】【課題】室内機に空気調和機の運転状態等を表示するＬＥＤを備えた表示部を備えた空気調和機において、前記ＬＥＤの輝度を可変可能として、使用者の快適性を向上させる。【解決手段】室内機の制御装置１は空気調和機の動作を制御する制御部２と、運転状態を表示する表示部３を有し、さらに表示部３は、ＬＥＤ６と、ＬＥＤ６をオン・オフする駆動回路５と、駆動回路５に信号を送る照明制御部４に分かれている。上記の構成を用いることにより、表示部３のＬＥＤ６の輝度の可変を行うことができる。【選択図】図１
2009144953.tif 000002
【特許請求の範囲】
【請求項１】
調和した空気を室内に放出する室内機と、前記室内機に空気調和機の運転状態等を表示するＬＥＤを備えた表示部を有し、そのＬＥＤの輝度を可変させることを特徴とする空気調和機。
【請求項２】
遠隔操作装置に前記室内機の表示部のＬＥＤの輝度を可変させる手段を有し、前記遠隔操作装置からの操作により、表示部のＬＥＤの輝度を可変させる請求項１に記載の空気調和機。
【請求項３】
現在時刻を設定する手段を有し、設定した時刻に表示部のＬＥＤの輝度を可変させる請求項１または２に記載の空気調和機。
【請求項４】
就寝時に適した運転設定を有し、前記運転設定時に表示部のＬＥＤの輝度を低下させる請求項１〜３のいずれか１項に記載の空気調和機。
【請求項５】
消費電力を低減させることを可能とする運転設定を有し、前記運転設定時に表示部のＬＥＤの輝度を低下させる請求項１〜４のいずれか１項に記載の空気調和機。
【発明の詳細な説明】
【技術分野】
【０００１】
本発明は、室内機に空気調和機の運転状態等を表示するＬＥＤを備えた表示部を有する空気調和機に関するものである。
【背景技術】
【０００２】
従来の空気調和機としては、例えば図６に示すように、室内機の運転状態を表示する数個のＬＥＤ６で構成された表示部３と、双方向通信により空気調和機の運転状態を変更させることが可能なリモコンなどの遠隔操作装置８を有しているものがあった（例えば、特許文献１参照）。
【０００３】
使用者は、上記表示部の内容を確認しながら、遠隔操作装置を用いて冷房や暖房、除湿といった空気調和機の運転の種類や目標設定温度を決定し、これに応じて遠隔操作装置から発信された信号により空気調和機の室内機が運転する。
【０００４】
また、室内機に設けた表示部により空気調和機の運転・停止や異常の発生を使用者に知らせる役割を果たしている。
【特許文献１】特開２００１−２１２００号公報
【発明の開示】
【発明が解決しようとする課題】
【０００５】
しかしながら、上記従来の構成では、表示部のＬＥＤにより運転状態を知ることができたが、例えば使用者が就寝する時など、何らかの理由でＬＥＤの輝度が気になる場合、そのＬＥＤの輝度を可変することができないという課題を有していた。
【０００６】
本発明はこのような従来の課題を解決するものであり、室内機に設けた表示部のＬＥＤの輝度を可変できるようにすることによって、使用者の快適性を向上させた空気調和機を提供することを目的とする。
【課題を解決するための手段】
【０００７】
前記従来の課題を解決するために、本発明の空気調和機は、表示部のＬＥＤの輝度を可変することのできる手段を設けたものである。
【発明の効果】
【０００８】
本発明の空気調和機は、室内機に設けた表示部のＬＥＤの輝度を可変することができる。
【発明を実施するための最良の形態】
【０００９】
第１の発明は、室内機に設けた表示部のＬＥＤの輝度を可変することができる手段を備えたことにより、ＬＥＤの輝度を可変することができる。
【００１０】
第２の発明は、遠隔操作装置と表示部のＬＥＤの輝度を可変させる手段を備えたことにより、遠隔操作装置からの操作による輝度設定変更時に表示部のＬＥＤの輝度を可変させることができる。
【００１１】
第３の発明は、第１の発明において、現在時刻を設定することを可能とする手段を備えたことにより、設定した時刻に表示部のＬＥＤの輝度を可変させることができる。
【００１２】
第４の発明は、第１〜３のいずれか１つの発明において、就寝時に適した運転設定を有し、前記運転設定時に表示部のＬＥＤの輝度を低下させることができる。
【００１３】
第５の発明は、第１〜４のいずれか１つの発明において、消費電力を低減させる運転設定を有し、前記運転設定時に表示部のＬＥＤの輝度を低下させることができる。
【００１４】
以下、本発明の実施の形態について、図面を参照しながら説明する。なお、本実施の形態によって本発明が限定されるものではない。
【００１５】
（実施の形態１）
図１において、室内機の制御装置１を説明する。制御装置１は空気調和機の動作を制御する制御部２と、運転状態を表示する表示部３を有し、さらに表示部３は、ＬＥＤ６と、ＬＥＤ６をオン・オフする駆動回路５と、駆動回路５に信号を送る照明制御部４に分かれている。
【００１６】
ＬＥＤ６の輝度の可変は、図２のように、照明制御部４が出力するオン・オフの時間を変えることで、ＬＥＤ６の点滅周期を変え、輝度を変えることができる。
【００１７】
上記の構成を用いることにより、表示部３のＬＥＤ６の輝度の可変を行うことができる。
【００１８】
（実施の形態２）
図３において、室内機の制御装置１は、リモコンなどの遠隔操作装置８からの信号を受信する受信部７、この受信部７が受けた信号をもとに空気調和機の動作を制御する制御部２と、運転状態を表示する表示部３を有し、さらに表示部３は、ＬＥＤ６と、ＬＥＤ６をオン・オフする駆動回路５と、駆動回路５に信号を送る照明制御部４に分かれている。
【００１９】
ＬＥＤ６の輝度の可変は、使用者がリモコンなどの遠隔操作装置８のボタン等を押して、輝度設定変更信号が送信されたタイミングで照明制御部４が出力するオン・オフの時間を変えることで、輝度を変えることができる。
【００２０】
上記の構成を用いることにより、使用者が、表示部３のＬＥＤ６の輝度の可変を行うことができる。
【００２１】
（実施の形態３）
実施の形態３は、図４において、リモコンなどの遠隔操作装置８は、時刻設定を行える時刻設定部９を有している。また、室内機の制御装置１は、リモコンなどの遠隔操作装置８からの信号を受信する受信部７、この受信部７が受けた信号をもとに空気調和機の動作を制御する制御部２と、リモコンなどの遠隔操作装置８で設定した時刻設定情報を記憶する時刻記憶部１０、運転状態を表示する表示部３を有し、さらに表示部３は、ＬＥＤ６と、ＬＥＤ６をオン・オフする駆動回路５と、駆動回路５に信号を送る照明制御部４に分かれている。
【００２２】
ＬＥＤ６の輝度の可変は、使用者がリモコンなどの遠隔操作装置８の時刻設定部９で時刻設定を行っていた場合、その時間情報を記憶している時刻記憶部１０の時間情報により、ある決った時刻になったタイミングで、照明制御部４が出力するオン・オフの時間を変えることで、輝度を変えることができる。
【００２３】
（実施の形態４）
実施の形態４は、図５において、リモコンなどの遠隔操作装置８から就寝時に適した運
転状態にさせるおやすみボタン１１を有し、就寝時設定情報は、他の運転情報と同じように遠隔操作装置８から送信される。また、室内機の制御装置１は、リモコンなどの遠隔操作装置８からの信号を受信する受信部７、この受信部７が受けた信号をもとに空気調和機の動作を制御する制御部２と、リモコンなどの遠隔操作装置８で設定した就寝時設定を記憶する記憶部１２と、運転状態を表示する表示部３を有し、さらに表示部３は、ＬＥＤ６と、ＬＥＤ６をオン・オフする駆動回路５と、駆動回路５に信号を送る照明制御部４に分かれている。
【００２４】
ＬＥＤ６の輝度の可変は、使用者がリモコンなどの遠隔操作装置８で、おやすみボタン１１により運転状態を就寝時設定に場合、その就寝時設定を記憶している記憶部１２の情報により、照明制御部４が出力するオン・オフの時間を変えることで、輝度を変えて低下させることができる。
【００２５】
なお、実施の形態４は、実施の形態３で記述した遠隔操作装置８に時刻設定部９および室内機の制御装置１の時刻記憶部１０が構成されていてもよい。
【００２６】
（実施の形態５）
実施の形態５は、実施の形態１〜４のいずれかに示した図１、図３、図４、図５に示す構成部と同じなので、それ以外の異なる部分を中心に説明する。
【００２７】
ＬＥＤ６の輝度の可変は、風量などを抑えることで消費電力を低減させることを可能とする運転状態に設定したタイミングで、照明制御部４が出力するオン・オフの時間を変えることで、輝度を変えて低下させることができる。
【００２８】
なお、消費電力を低減させることを可能とする運転状態にする手段としては、使用者がリモコンなどの遠隔操作装置８で設定した場合でも、室内機の制御装置１が室内温度や設定温度などの運転状態を判断して設定する場合もある。
【産業上の利用可能性】
【００２９】
以上のように、本発明は、表示部のＬＥＤの輝度を可変させることが可能になるので、空気調和機以外にも使用者の快適性を向上させることを目的とする分野でも適用できる。
【図面の簡単な説明】
【００３０】
【図１】本発明の実施の形態１における空気調和機の制御ブロック図
【図２】本発明の実施の形態１における空気調和機の出力電圧波形図
【図３】本発明の実施の形態２における空気調和機の制御ブロック図
【図４】本発明の実施の形態３における空気調和機の制御ブロック図
【図５】本発明の実施の形態４における空気調和機の制御ブロック図
【図６】従来の空気調和機の室内機と遠隔操作装置の正面図
【符号の説明】
【００３１】
１  制御装置
２  制御部
３  表示部
４  照明制御部
５  駆動回路
６  ＬＥＤ
【図１】
2009144953.tif 000003
【図２】
2009144953.tif 000004
【図３】
2009144953.tif 000005
【図４】
2009144953.tif 000006
【図５】
2009144953.tif 000007
【図６】
2009144953.tif 000008